(57)【要約】      （修正有）【課題】ねじホッパ内に貯留した多数のねじ類を、外周部に所定間隔で切欠収納凹部を設けたねじ供給ドラムを回転駆動させながら順次連続的に供給するに際し、切欠収納凹部におけるねじ類の噛み込みによる回転駆動停止等の弊害を防止して、安定かつ円滑なねじ供給ドラムの回転駆動を実現できるねじ類の自動供給方法および装置を提供する。【解決手段】ねじ供給ドラム１８の外周部をドラムガイド４２ａ、４２ｂにより近接囲繞すると共に、切欠収納凹部４０の前記ドラムガイド４２ａ、４２ｂに面した回転方向における少なくとも後方の開口縁部４１ａに対し、ねじ類の頭部の外周縁部が楔にならないような面取り４４ａを施すことにより、切欠収納凹部４０よりねじ類をすくい上げるに際し、ねじ類の一部が開口縁部４１ａとドラムガイド４２ａ、４２ｂないしねじホッパの底面１６ａとの間における噛み込みを防止するように構成する。【選択図】図４
2006256767.tif 000002
【特許請求の範囲】
【請求項１】
１多数のねじ類をねじホッパに貯留し、このねじホッパ内に外周部にそれぞれ所定間隔で切欠収納凹部を設けたねじ供給ドラムを回転駆動可能に設け、前記ねじ供給ドラムの回転駆動により切欠収納凹部においてねじホッパ内より所要数のねじ類を順次すくい上げると共に、この切欠収納凹部内にすくい上げられたねじ類をねじ供給ドラムの上方に隣接配置してなるねじ整列供給シュートのねじ搬入部に順次供給するように設定したねじ類の自動供給方法からなり、
前記ねじホッパ内におけるねじ供給ドラムの外周部をドラムガイドにより近接囲繞して、ねじホッパ内においてねじ供給ドラムに設けた切欠収納凹部の開口する一側面よりそれぞれ所要数のねじ類をすくい上げるように設定し、
前記ねじ供給ドラムに設けた切欠収納凹部の前記ドラムガイドに面した回転方向における少なくとも後方の開口縁部に対し、側断面においてねじ類の頭部の外周縁部が楔にならないような面取りを施し、ねじ類の一部が前記ねじ供給ドラムに設けた切欠収納凹部の開口縁部とその外周を囲繞するドラムガイドないしねじホッパの底面との間における噛み込みを防止することを特徴とするねじ類の自動供給方法。
【請求項２】
前記ねじ供給ドラムに設けた切欠収納凹部の前記ドラムガイドに面した回転方向における前後両方の開口縁部に対し、それぞれ側断面においてねじ類の頭部の外周縁部が楔にならないような面取りを施すことを特徴とする請求項１記載のねじ自動供給方法。
【請求項３】
多数のねじ類を貯留するねじホッパと、このねじホッパ内において回転駆動すると共に順次所要数のねじ類をすくい上げる切欠収納凹部を外周部にそれぞれ所定間隔で設けたねじ供給ドラムと、このねじ供給ドラムの上方に隣接配置され切欠収納凹部によりそれぞれすくい上げられたねじ類を順次搬入して供給するためのねじ整列供給シュートとを備えたねじ類の自動供給装置からなり、
前記ねじホッパ内において前記ねじ供給ドラムに設けた切欠収納凹部の開口する一側面よりそれぞれ所要数のねじ類をすくい上げるように構成すると共に、前記ねじ供給ドラムの外周部をドラムガイドにより近接囲繞し、
前記ねじ供給ドラムに設けた切欠収納凹部の回転方向における少なくとも後方の開口縁部に対し、当該開口縁部とその外周を囲繞するドラムガイドないしねじホッパの底面との間におけるねじ類の噛み込みを防止するための側断面においてねじ類の頭部の外周縁部が楔にならないような面取り部を設けたことを特徴とするねじ類の自動供給装置。
【請求項４】
前記ねじ供給ドラムに設けた切欠収納凹部の回転方向における前後両方の開口縁部に対し、側断面においてねじ類の頭部の外周縁部が楔にならないような面取り部をそれぞれ設けたことを特徴とする請求項３記載のねじ類の自動供給装置。
【発明の詳細な説明】
【技術分野】
【０００１】
本発明は、頭部に電動ドライバー等のビット嵌合溝を備えた各種のねじ類を自動供給する方法および装置に係り、特にねじホッパ内に貯留した多数のねじ類を、外周部にそれぞれ所定間隔で切欠収納凹部を設けたねじ供給ドラムを回転駆動させながら順次連続的に供給するに際し、前記ねじ供給ドラムの切欠収納凹部におけるねじ類の噛み込みによるねじ供給ドラムの回転駆動停止等の弊害を防止して、常に安定かつ円滑なねじ供給ドラムの回転駆動を実現し、ねじ類の締め付け作業を効率的に達成することができるねじ類の自動供給方法および装置に関するものである。
【背景技術】
【０００２】
従来において、電動ドライバー等によりねじ締め作業を行うに際し、ドライバービットの先端に所望のねじを係止させながら、ねじの取り出しを簡便に行うことができるねじ供給装置が種々提案され（例えば、特許文献１参照）、実用化されている。
【０００３】
特許文献１に記載のねじ供給装置は、(1) シュータの上面に沿ってスリットを設け、ビス類の頭部をシュータの上面上で摺動させると共に軸部を上記スリット内で移動させるようにして、ビス類を上記シュータによって取出し位置へ供給するように構成したビス類の供給装置において、(2) 上記取出し位置の上部にドライバーのビットを案内するビットガイドを設けると共に、(3) 上記取出し位置まで前方に向かって移動して来たビス類をこの取出し位置に停止させる係止部材を設け、(4) 上記ビットガイドは水平断面形状がほぼコ字状をなす３つのガイド片を有し、これら３つのガイド片を上方から下方に向けて次第にすぼむように形成し、これら３つのガイド片の下端には上記取出し位置の直上に近接して配置された位置出し口を設け、これらほぼコ字状をなす３つのガイド片の上記前方である一側方をこのビットガイドの上下全長に亘って開放させたほぼ逆台形状の切欠きを設けた構成からなる。
【０００４】
また、前記ねじ供給装置において、(5) 上記係止部材は、常時はビス類を上記取出し位置に停止させる復動位置に付勢させて保持され、ビス類を上記取出し位置からさらに上記前方に移動させるときにはビス類を上記取出し位置に停止させない往動位置に上記付勢力に逆らって往動し得るように構成され、(6) 上記シュータの上面に沿って上記取出し位置まで前方に向かって移動して来たビス類が上記係止部材によりこの取出し位置に停止されているとき、上記取出し位置の上方における不特定位置から下降されるドライバーのビットを上記ビットガイドの上記３つのガイド片によって上記位置出し口へ誘導すると共に、そのビットを上記位置出し口で上記取出し位置に対して位置出ししてその取出し位置のビス類に上方からマグネット吸着により係止させ得るように構成する。
【０００５】
そして、前記ねじ供給装置においては、(7) 上記マグネット吸着による係止後のビットを上記ビットガイドの上記切欠きからそのビットガイドの上記前方へ引き出すことにより、上記係止部材を上記往動位置へ往動させると共に、そのビットにマグネット吸着により係止されているビス類を上記取出し位置の上記前方へ取出し得るようにした構成からなるものである。
【０００６】
このように構成された前記特許文献１に記載のねじ供給装置によれば、ドライバーのビットを大まかに、しかも単に下降させるだけの１操作によって、ビットをビットガイドによって取出し位置のビス類の頭部に正確に係止させることができる。特に、ビットガイドの水平断面形状が、ほぼコ字状でかつ上方から下方に向けて次第にすぼむように形成された３つのガイド片の前方である一側方に、ビッドガイドの上下全長に亘って開放されたほぼ逆台形状の切欠きを設けたので、ビットをビットガイド内に挿入して取出し位置のビス類に係止させ、その係止後にビットによってビス類を取出し位置の前方に取出すための一連の操作を、素早くかつスムーズに行うことができ、ビス類の取出し作業を高能率に行うことができるものである。
【０００７】
また、従来のねじ供給装置として、図６に示すように、(1) ねじを貯留するねじすくい箱ＳＸと、(2) そのねじすくい箱ＳＸに回転軸を介して設置され、ねじすくい箱ＳＸ内のねじＳＷを吸着して保持する磁石ＭＧおよび前記ねじＳＷを個別に収納する孔ＨＬが周囲部に設けられた円盤形状をなす回転板ＲＰと、(3) その回転板ＲＰを制御する回転板制御部と、(4) 前記回転板ＲＰから離脱させた前記ねじＳＷの各々を一定の方向に整列させた状態で供給する供給ブロックＳＰとからなるねじ供給装置において、(5) 前記磁石ＭＧが前記孔ＨＬの底面部に設けられ、(6) 前記孔ＨＬの深さが前記ねじＳＷの胴部の長さよりも短く形成され、(7) 前記供給ブロックＳＰは回転板ＲＰに保持された各ねじＳＷの頭部を引っ掛けて前記回転板ＲＰから離脱させる断面形状をなすように構成したねじ供給装置が提案されている（特許文献２参照）。
【０００８】
このような構成からなる前記特許文献２に記載のねじ供給装置は、ねじすくい箱ＳＸに貯留するねじＳＷを、回転板ＲＰに設けた磁石ＭＧで着磁させて拾い上げ、次いで回転板ＲＰに設けた孔ＨＬの作用によって、供給ブロックＳＰより整列供給することができ、また、前記孔ＨＬに入らずに回転板ＲＰに着磁したねじは、回転板ＲＰの外周上に設けた切り欠きＮＣによって、ねじすくい箱ＳＸ内へ脱落させることができるように構成されている。
【０００９】
一方、従来において、ねじ、リベット、釘等の各種部品を供給する装置として、所定の間隔を置いて所定角度傾斜して配置した２本の円柱を相反する方向に回転させ、この円柱に供給された部品を円柱同士の隙間部分に懸架支持して整列搬送するように構成した部品供給装置が提案されている。そして、この種の部品供給装置において、前記円柱の芯振れにより部品が円柱からの落下や、円柱間における噛み込み等の不具合の発生を防止するために、前記円柱の芯振れ防止手段を設けた部品供給装置が提案されている（特許文献３参照）。
【００１０】
さらに、従来において、ビス、リベット、鋲等のように、軸部とこの軸部よりも大きい径の頭部とを有するねじ類を所定の位置に供給するようにしたねじ類の供給装置として、(1) ストック室に予め収納されているねじ類をねじ類溜まり部に流出させ、(2) 前記ねじ類溜まり部内のねじ類を汲み上げ、誘導ガイドを経てフィーダー部のガイド溝に頭部を上にした正常な姿勢にして前記ねじ類を導入し、(3) この導入されたねじ類を所定の位置まで送出して整列させ、前記所定の位置で前記ねじ類の頭部に取り出しビットを当接させてピックアップ可能にしたねじ類の供給装置からなり、(4) 前記ねじ類が乗る羽根を側面に有して前記ねじ類溜まり部内で上下方向に回転し、前記ねじ類溜まり部内の前記ねじ類を前記羽根に乗せて上方まで持ち上げ、その後、落下させる汲み上げリングと、(5) 前記汲み上げリングより落下される前記ねじ類を受けて前記フィーダー部のガイド溝までガイドする誘導ガイドとを、備えた構成からなるねじ類供給装置が提案されている（特許文献４参照）。
【００１１】
【特許文献１】特公平４−３５３０６号公報
【特許文献２】特開２００２−３３７０３１号公報
【特許文献３】特開２００３−２７６８２６号公報
【特許文献４】特開２０００−９４２４０号公報
【発明の開示】
【発明が解決しようとする課題】
【００１２】
前述した特許文献１ないし特許文献４に記載されるような、従来におけるねじ類の自動供給装置等においては、適用するねじの寸法として、例えば、ねじ径がＪＩＳ規格でＭ１．４以上であって、ねじ軸の長さＬが約２ｍｍ以上のねじを使用する場合には、有効に稼動させることができる。
【００１３】
しかるに、今日における各種の電子部品や電子機器等の組み立てに際しては、益々小型化される傾向にあり、従ってこれらの部品や機器等に適用されるねじの寸法も、限りなく縮小化される現状にある。このような背景から、ねじ径がＪＩＳ規格でＭ１．４以下であって、ねじ軸の長さＬが約２ｍｍ以下（例えば、Ｌ＝１〜２ｍｍ）の小ねじの生産も可能となると共に、このような小ねじのねじ締め作業に適応する電動ドライバー等の開発も既に行われている。特に、近年においては、直径寸法は従来の小ねじと同様としながら、ねじ頭部を扁平な肉薄構成とし、ねじ軸の長さＬを短く設計したねじの需要が増大している。従って、このような状況から、前記小ねじを電動ドライバー等により迅速かつ円滑にねじ締め作業を行うことができる、ねじの自動供給装置が不可欠である。
【００１４】
しかしながら、前述した特許文献１ないし特許文献４に記載されるねじ類の自動供給装置等では、ねじ類を順次整列させて連続的に供給するシュート等のねじ類の搬入部分に対し、ねじを搬送する回転部材により多数のねじ類を貯留しているホッパから順次ねじ類をすくい上げて、連続的にねじ類を供給するに際して、前記回転部材の一部にねじ類が噛み込まれ易く、このため前記回転部材の回転駆動が停止されると共に、ねじ類の連続的供給ができなくなる難点がある。
【００１５】
例えば、多数のねじ類をねじホッパに貯留し、このねじホッパ内に外周部にそれぞれ所定間隔で切欠収納凹部を設けたねじ供給ドラムを回転駆動可能に設け、前記ねじ供給ドラムの回転駆動により切欠収納凹部においてねじホッパ内より所要数のねじ類を順次すくい上げると共に、この切欠収納凹部内にすくい上げられたねじ類をねじ供給ドラムの上方に隣接配置してなるねじ整列供給シュートのねじ搬入部に順次供給するように設定したねじ類の自動供給装置においては、前記ねじホッパ内におけるねじ供給ドラムの外周部をドラムガイドにより近接囲繞して、ねじホッパ内においてねじ供給ドラムに設けた切欠収納凹部の開口する一側面よりそれぞれ所要数のねじ類をすくい上げるに際して、前記ねじ供給ドラムに設けた切欠収納凹部の前記ドラムガイドに面した回転方向における後方の開口縁部において、ねじ類の一部が前記ねじ供給ドラムに設けた切欠部の開口縁部とその外周を囲繞するドラムガイドないしねじホッパの底面との間に噛み込まれて、前記ねじ供給ドラムの回転駆動が停止すると共に、ねじ類の供給が停止されてしまう現象が頻繁に発生し易くなる。
【００１６】
この場合、前述したねじ供給ドラムにおけるねじ類の噛み込みによる回転駆動の停止に際して、ねじ供給ドラムの回転を一定時間（数秒間）逆転駆動させることにより、前記ねじ類の噛み込みを解除させる工夫も提案されている。しかし、この場合においても、前記ねじ供給ドラムの逆転方向における後方（正転方向における前方）の開口縁部において、前記と同様のねじ類の噛み込みを生じ、再びねじ供給ドラムの回転駆動が停止すると共に、ねじ類の供給が停止されてしまう難点がある。
【００１７】
そこで、本発明者は、種々検討並びに試作を重ねた結果、多数のねじ類をねじホッパに貯留し、このねじホッパ内に外周部にそれぞれ所定間隔で切欠収納凹部を設けたねじ供給ドラムを回転駆動可能に設け、前記ねじ供給ドラムの回転駆動により切欠収納凹部においてねじホッパ内より所要数のねじ類を順次すくい上げると共に、この切欠収納凹部内にすくい上げられたねじ類をねじ供給ドラムの上方に隣接配置してなるねじ整列供給シュートのねじ搬入部に順次供給するように設定したねじ類の自動供給方法において、前記ねじホッパ内におけるねじ供給ドラムの外周部をドラムガイドにより近接囲繞して、ねじホッパ内においてねじ供給ドラムに設けた切欠収納凹部の開口する一側面よりそれぞれ所要数のねじ類をすくい上げるように設定し、前記ねじ供給ドラムに設けた切欠収納凹部の前記ドラムガイドに面した回転方向における少なくとも後方の開口縁部に対し、側断面においてねじ類の頭部の外周縁部が楔にならないような面取りを施すことにより、ねじ類の一部が前記ねじ供給ドラムに設けた切欠収納凹部の開口縁部とその外周を囲繞するドラムガイドないしねじホッパの底面との間における噛み込みを防止することができ、ねじ類の円滑かつ連続的な自動供給を容易に達成することができるねじの自動供給方法および装置の開発に成功した。
【００１８】
すなわち、本発明においては、多数のねじ類を貯留するねじホッパと、このねじホッパ内において回転駆動すると共に順次所要数のねじ類をすくい上げる切欠収納凹部を外周部にそれぞれ所定間隔で設けたねじ供給ドラムと、このねじ供給ドラムの上方に隣接配置され切欠収納凹部によりそれぞれすくい上げられたねじ類を順次搬入して供給するためのねじ整列供給シュートとを備えたねじ類の自動供給装置からなり、前記ねじホッパ内において前記ねじ供給ドラムに設けた切欠収納凹部の開口する一側面よりそれぞれ所要数のねじ類をすくい上げるように構成すると共に、前記ねじ供給ドラムの外周部をドラムガイドにより近接囲繞し、前記ねじ供給ドラムに設けた切欠収納凹部の回転方向における少なくとも後方の開口縁部に対し、当該開口縁部とその外周を囲繞するドラムガイドないしねじホッパの底面との間におけるねじ類の噛み込みを防止するための側断面においてねじ類の頭部の外周縁部が楔にならないような面取り部を設けた構成とする。
【００１９】
このように構成した本発明のねじの自動整列供給方法および装置によれば、前述した従来の装置では解決し得ない問題点を一挙に解消することができると共に、多量の小ねじ類の連続的かつ円滑な供給を容易に達成するができると共に、装置構成も簡単にして低コストに実現することができることを突き止めた。
【００２０】
従って、本発明の目的は、ねじホッパ内に貯留した多数のねじ類を、外周部にそれぞれ所定間隔で切欠収納凹部を設けたねじ供給ドラムを回転駆動させながら順次連続的に供給するに際し、前記ねじ供給ドラムの切欠収納凹部におけるねじ類の噛み込みによるねじ供給ドラムの回転駆動停止等の弊害を防止して、常に安定かつ円滑なねじ供給ドラムの回転駆動を実現し、ねじ類の締め付け作業を効率的に達成することができるねじ類の自動供給方法および装置を提供することにある。
【課題を解決するための手段】
【００２１】
前記の目的を達成するため、本発明の請求項１に記載のねじ類の自動供給方法は、多数のねじ類をねじホッパに貯留し、このねじホッパ内に外周部にそれぞれ所定間隔で切欠収納凹部を設けたねじ供給ドラムを回転駆動可能に設け、前記ねじ供給ドラムの回転駆動により切欠収納凹部においてねじホッパ内より所要数のねじ類を順次すくい上げると共に、この切欠収納凹部内にすくい上げられたねじ類をねじ供給ドラムの上方に隣接配置してなるねじ整列供給シュートのねじ搬入部に順次供給するように設定したねじ類の自動供給方法からなり、
前記ねじホッパ内におけるねじ供給ドラムの外周部をドラムガイドにより近接囲繞して、ねじホッパ内においてねじ供給ドラムに設けた切欠収納凹部の開口する一側面よりそれぞれ所要数のねじ類をすくい上げるように設定し、
前記ねじ供給ドラムに設けた切欠収納凹部の前記ドラムガイドに面した回転方向における少なくとも後方の開口縁部に対し、側断面においてねじ類の頭部の外周縁部が楔にならないような面取りを施し、ねじ類の一部が前記ねじ供給ドラムに設けた切欠収納凹部の開口縁部とその外周を囲繞するドラムガイドないしねじホッパの底面との間における噛み込みを防止することを特徴とする。
【００２２】
本発明の請求項２に記載のねじ類の自動供給方法は、前記ねじ供給ドラムに設けた切欠収納凹部の前記ドラムガイドに面した回転方向における前後両方の開口縁部に対し、それぞれ側断面においてねじ類の頭部の外周縁部が楔にならないような面取りを施すことを特徴とする。
【００２３】
また、本発明の請求項３に記載のねじ類の自動供給装置は、多数のねじ類を貯留するねじホッパと、このねじホッパ内において回転駆動すると共に順次所要数のねじ類をすくい上げる切欠収納凹部を外周部にそれぞれ所定間隔で設けたねじ供給ドラムと、このねじ供給ドラムの上方に隣接配置され切欠収納凹部によりそれぞれすくい上げられたねじ類を順次搬入して供給するためのねじ整列供給シュートとを備えたねじ類の自動供給装置からなり、
前記ねじホッパ内において前記ねじ供給ドラムに設けた切欠収納凹部の開口する一側面よりそれぞれ所要数のねじ類をすくい上げるように構成すると共に、前記ねじ供給ドラムの外周部をドラムガイドにより近接囲繞し、
前記ねじ供給ドラムに設けた切欠収納凹部の回転方向における少なくとも後方の開口縁部に対し、当該開口縁部とその外周を囲繞するドラムガイドないしねじホッパの底面との間におけるねじ類の噛み込みを防止するための側断面においてねじ類の頭部の外周縁部が楔にならないような面取り部を設けたことを特徴とする。
【００２４】
本発明の請求項４に記載のねじ類の自動供給装置は、前記ねじ供給ドラムに設けた切欠収納凹部の回転方向における前後両方の開口縁部に対し、側断面においてねじ類の頭部の外周縁部が楔にならないような面取り部をそれぞれ設けたことを特徴とする。
【発明の効果】
【００２５】
本発明の請求項１および３に記載のねじ類の自動供給方法および装置によれば、ねじホッパ内に貯留した多数のねじ類を、外周部にそれぞれ所定間隔で切欠収納凹部を設けたねじ供給ドラムを回転駆動させながら順次連続的に供給するに際し、前記ねじ供給ドラムの切欠収納凹部におけるねじ類の噛み込みによるねじ供給ドラムの回転駆動停止等の弊害を防止して、常に安定かつ円滑なねじ供給ドラムの回転駆動を実現し、ねじ類の締め付け作業を効率的に達成することができる。
【００２６】
本発明の請求項２および４に記載のねじ類の自動供給方法および装置によれば、ねじ供給ドラムの逆転駆動に際しても、前記ねじ供給ドラムの切欠収納凹部におけるねじ類の噛み込みによるねじ供給ドラムの回転駆動停止等の弊害を防止して、常に安定かつ円滑なねじ供給ドラムの回転駆動を実現し、ねじ類の締め付け作業を効率的に達成することができる。
【発明を実施するための最良の形態】
【００２７】
次に、本発明に係るねじ類の自動供給方法および装置の実施例につき、添付図面を参照しながら以下詳細に説明する。
【００２８】
〔ねじ自動供給装置の全体構成〕
図１は、本発明に係るねじ類の自動供給方法を実施するねじ自動供給装置の全体的な外観構成を示す概略斜視図である。図１において、参照符号１０はねじ自動供給装置の全体ケーシングを示し、このねじ自動供給装置１０の一端部側には、所要のねじを連続的に整列させて自動供給するねじの取り出し部１２が設けられている。そして、ねじの取り出し部１２には、前記所要のねじを連続的に整列させて自動供給する案内溝を備えたねじ整列供給シュート２０のねじ取り出し端部２０ａが設けられ、このねじ取り出し端部２０ａの両側に前記シュート２０の案内溝に沿って自動供給されるねじの到来を検知する一対のセンサ２４ａ、２４ｂが設けられている。また、前記シュート２０のねじ取り出し端部２０ａの上方に対応位置して、電動ドライバーのドライバービットによるねじの取り出しを簡便にするビットガイド３０が、前記シュートの一部にビットガイド固定部材３２を介して固定配置される。なお、参照符号１４は、ねじ自動供給装置１０に内蔵される所要の駆動部をＯＮ／ＯＦＦ操作するための電源スイッチを示す。
【００２９】
図２は、図１に示すねじ自動供給装置１０におけるねじの取り出し部１２の主要構成を拡大して示す要部概略斜視図である。図２において、前記ねじ整列供給シュート２０のねじ取り出し側端部２０ａに設けた一対のセンサ２４ａ、２４ｂにより、前記シュート２０の案内溝２２に沿って自動供給されるねじＳＷが、その到来を検知される位置に対応してストッパ２５を設けて、ねじＳＷの移動を停止させるように構成する。そして、このねじＳＷの前記ストッパ２５による停止位置と対応して、その上方に前記ビットガイド３０が設定される。
【００３０】
従って、このように構成されるねじ自動供給装置１０におけるねじの取り出し部１２においては、電動ドライバー３４のドライバービット３６の先端を、ビットガイド３０に沿って下方に操作する（矢印Ｉ参照）ことにより、ドライバービット３６の先端は、自動的に前記ビットガイド３０の下方に位置決めされたねじＳＷのねじ頭部に形成されたビット嵌合溝に嵌合させることができる。次いで、ドライバービット３６を、そのまま手前方向へ前記シュート２０の案内溝２２に沿って引き寄せる（矢印II参照）ことにより、前記ドライバービット３６によるねじの取り出しを、容易かつ迅速に行うことができる。
【００３１】
以上説明したねじ自動供給装置１０の構成および動作については、従来のねじ自動供給装置ないしねじ自動整列装置等と共通するものである。そこで、本発明に係るねじの自動供給方法および装置の特徴ある構成およびその作用について、図３ないし図５に示すそれぞれの実施例について説明する。
【実施例１】
【００３２】
図３は、ねじ整列供給シュート２０のねじ搬入側端部２０ｂのねじ自動供給装置１０の要部構成の一実施例を示すものである。本実施例のねじ自動供給装置１０におけるシュート２０のねじ搬入側端部２０ｂにおいては、多数のねじを貯留するねじホッパ１６と、このねじホッパ１６内で回動して所要数のねじを間欠的にすくい上げる複数の切欠収納凹部４０を外周部に設けたねじ供給ドラム１８と、このねじ供給ドラム１８に隣接して前記シュート２０のねじ搬入側端部２０ｂに形成された案内溝２２へねじを整列させて導入するためのねじの搬入部２６とがそれぞれ設けられている。
【００３３】
なお、前記ねじの搬入部２６においては、前記ねじ供給ドラム１８によりねじホッパ１６から順次すくい上げられてくるねじＳＷを集めて、前記シュート２０のねじ搬入側端部２０ｂに形成された案内溝２２へ導入するためのねじ搬入通路２８が設けられる。また、前記案内溝２２の上方には、前記ねじ搬入通路２８より搬入されるねじＳＷのねじ頭部が、前記シュート２０の案内溝２２へそれぞれ懸吊保持されるように整列させて導入する整列ガイド部材２３が設けられている。さらに、前記整列ガイド部材２３に対し、前記ねじの搬入部２６からねじ搬入通路２８を介して、シュート２０の案内溝２２に対して不整列ないし余剰に導入されるねじＳＷａを、回転ブラシ作用により連続的に除去してねじホッパ１６内に回収するための電動モータＭにより回転駆動する円盤状回転ブラシ２７を備えたねじ排除手段２９が設けられている。
【００３４】
そして、前記シュート２０の案内溝２２に整列導入されたねじＳＷは、前記シュート２０のねじ取り出し側端部２０ａすなわち前記ストッパ２５が設けられているねじの取り出し位置まで順次適正に整列して移送される（図１および図２参照）。これに対し、前記ねじ搬入通路２８に適正に導入されないねじは、適宜ねじ搬入通路２８のほぼ垂直に切裁された片側から落下して、ねじホッパ１６内へ回収される。このようにして、ねじの搬入部２６に多数のねじが搬入されても、前記シュート２０の案内溝２２に対して、予め余剰となるねじは適正に排除されるように構成されている。なお、前記シュート２０におけるねじＳＷの移送は、従来公知のバイブレータを使用し、このバイブレータの発生する振動を付与することにより、容易に達成することができる。
【００３５】
しかるに、本実施例のねじ自動供給装置１０においては、図４の（ａ）、（ｂ）に示すように、多数のねじＳＷがねじホッパ１６内に貯留され、このねじホッパ１６内には外周部にそれぞれ所定間隔で切欠収納凹部４０を設けたねじ供給ドラム１８が回転駆動可能に設けられている。そして、前記ねじ供給ドラム１８の回転駆動により切欠収納凹部４０においてねじホッパ１６内より所要数のねじＳＷを順次すくい上げると共に、この切欠収納凹部４０内にすくい上げられたねじＳＷをねじ供給ドラム１８の上方に隣接配置してなるねじ整列供給シュート２０のねじ搬入部２６に順次供給するように設定される。
【００３６】
また、本実施例においては、前記ねじホッパ１６内において、ねじ供給ドラム１８に設けた切欠収納凹部４０の開口する一側面よりそれぞれ所要数のねじＳＷを円滑にすくい上げることができるように、前記ねじホッパ１６内におけるねじ供給ドラム１８の外周部を、それぞれ近接囲繞するようにドラムガイド４２ａ、４２ｂが配設されている〔図４の（ａ）、（ｂ）参照〕。そして、この場合、前記ねじ供給ドラム１８に設けた切欠収納凹部４０の前記ドラムガイド４２ａに面した正回転方向における後方の開口縁部４１ａにおいて、ねじＳＷａの一部が前記ねじ供給ドラム１８に設けた切欠収納凹部４０の開口縁部４１ａとその外周を囲繞するドラムガイド４２ａないしねじホッパ１６の底面１６ａとの間に噛み込まれて〔図４の（ａ）参照〕、前記ねじ供給ドラム１８の回転駆動が停止すると共に、ねじの供給が停止されてしまう現象が頻繁に発生し易くなる。
【００３７】
そこで、本実施例においては、図４の（ｂ）に示すように、前記ねじ供給ドラム１８に設けた切欠収納凹部４０の前記ドラムガイド４２ａに面した正回転方向における後方の開口縁部４１ａに対し、側断面においてねじＳＷの頭部の外周縁部が楔にならないような面取り４４ａを施した構成とする。このように構成することにより、ねじの一部が前記ねじ供給ドラム１８に設けた切欠収納凹部４０の開口縁部４１ａと、その外周を囲繞するドラムガイド４２ａないしねじホッパ１６の底面１６ａとの間における噛み込みを有効に防止することができ、ねじの円滑かつ連続的な自動供給を容易に達成することができることが確認された。
【実施例２】
【００３８】
また、前述したねじ供給ドラム１８におけるねじの噛み込みによる回転駆動の停止に際して、ねじ供給ドラム１８の回転を一定時間（数秒間）、逆回転駆動させることにより、前記ねじの噛み込みを解除させるように構成したねじ自動供給装置も提案されている。しかしながら、このように構成されたねじ自動供給装置においても、図５の（ａ）に示すように、前記ねじ供給ドラム１８の逆回転方向における後方（正回転方向における前方）の開口縁部４１ｂにおいて、前記と同様にねじＳＷａの一部が前記ねじ供給ドラム１８に設けた切欠収納凹部４０の開口縁部４１ｂとその外周を囲繞するドラムガイド４２ｂないしねじホッパ１６の底面１６ａとの間に噛み込まれて、再びねじ供給ドラム１８の回転駆動が停止すると共に、ねじの供給が停止されてしまう難点がある。
【００３９】
そこで、このように構成されるねじ自動供給装置においては、前述した実施例１の構成と併せて、図５の（ｂ）に示すように、前記ねじ供給ドラム１８に設けた切欠収納凹部４０の前記ドラムガイド４２ｂに面した逆回転方向における後方（正回転方向における前方）の開口縁部４１ｂに対し、側断面においてねじＳＷの頭部の外周縁部が楔にならないような面取り４４ｂを施した構成とする。このように構成することにより、ねじの一部が前記ねじ供給ドラム１８に設けた切欠収納凹部４０の開口縁部４１ｂと、その外周を囲繞するドラムガイド４２ｂないしねじホッパ１６の底面１６ａとの間における噛み込みを有効に防止することができる。
【００４０】
以上、本発明の好適な実施例について説明したが、本発明は前述した実施例に限定されることなく、各種の寸法や形状からなるねじ類に対しても、それらの一部がねじ供給ドラムの回転駆動を妨げるような噛み込みを生じないようにそれぞれ適合した面取りを、前記ねじ供給ドラムの切欠収納凹部の開口縁部に設けることができる。その他、本発明の精神を逸脱しない範囲内において多くの設計変更を行うことも可能である。
【図面の簡単な説明】
【００４１】
【図１】本発明に係るねじ類の自動供給方法を実施するねじ自動供給装置の全体的な外観構成を示す概略斜視図である。
【図２】図１におけるねじ自動供給装置のねじ取り出し部の主要構成を拡大して示す要部概略斜視図である。
【図３】本発明に係るねじ類の自動供給装置におけるねじ供給ドラムとねじの搬入部の構成配置の一実施例を示す要部断面概略側面図である。
【図４】図３に示すねじ自動供給装置におけるねじ供給ドラムのねじホッパ内における要部拡大側面図であって、（ａ）はねじ供給ドラムの正回転時におけるねじの噛み込み状態を示す説明図、（ｂ）は本発明の一実施例を示す説明図である。
【図５】図３に示すねじ自動供給装置におけるねじ供給ドラムのねじホッパ内における要部拡大側面図であって、（ａ）はねじ供給ドラムの逆回転時におけるねじの噛み込み状態を示す説明図、（ｂ）は本発明の別の実施例を示す説明図である。
【図６】従来におけるねじ供給装置の要部構成を示す概略斜視図である。
【符号の説明】
【００４２】
１０  ねじ自動供給装置
１２  ねじの取り出し部
１４  電源スイッチ
１６  ねじホッパ
１６ａ  ねじホッパの底部
１８  ねじ供給ドラム
２０  ねじ整列供給シュート
２０ａ  ねじ取り出し側端部
２０ｂ  ねじ搬入側端部
２２  案内溝
２３  整列ガイド部材
２４ａ、２４ｂ  センサ
２５  ストッパ
２６  ねじの搬入部
２７  円盤状回転ブラシ
２８  ねじ搬入通路
２９  ねじ排除手段
３０  ビットガイド
３２  ビットガイド固定部材
３４  電動ドライバー
３６  ドライバービット
４０  切欠収納凹部
４１ａ  開口縁部（正回転の後方側）
４１ｂ  開口縁部（正回転の前方側）
４２ａ、４２ｂ  ドラムガイド
４４ａ  面取り部（正回転の後方側）
４４ｂ  面取り部（正回転の前方側）
【図１】
2006256767.tif 000003
【図２】
2006256767.tif 000004
【図３】
2006256767.tif 000005
【図４】
2006256767.tif 000006
【図５】
2006256767.tif 000007
【図６】
2006256767.tif 000008